(57)【要約】【課題】挟持対象物である長尺物を従来の長尺物ホルダーよりも容易に取り付け、かつ、取り外すことができ、さらに、従来の長尺物ホルダーが保持し得た長尺物よりも重い長尺物を保持することができる長尺物ホルダーを提供する。【解決手段】長尺物ホルダー100は第一ローラー110と、第一ローラーと同じ大きさの第二ローラー120と、第一ローラーを転動可能に収容する第一ローラー室132及び第二ローラーを転動可能に収容する第二ローラー室133を備えるローラー支持体130と、からなる。第一ローラー室及び第二ローラー室の各底面132a,133aは、該底面上を第一ローラー及び第二ローラーが鉛直方向と直交する回転軸を有して転動可能であるように、鉛直方向に対して傾斜し、第一ローラー室及び第二ローラー室はそれぞれ最下方に開口132b,133bを有している。【選択図】    図１
0003117294.tif 000002
【実用新案登録請求の範囲】
【請求項１】
第一ローラーと、
前記第一ローラーと同じ大きさの第二ローラーと、
前記第一ローラーを転動可能に収容する第一ローラー室と、前記第二ローラーを転動可能に収容する第二ローラー室とを備えるローラー支持体と、
を備える長尺物ホルダーであって、
前記第一ローラー室及び前記第二ローラー室は鉛直方向を中心として左右対称に配置され、
前記第一ローラー室及び前記第二ローラー室の各底面は、該底面上を前記第一ローラー及び前記第二ローラーが鉛直方向と直交する回転軸を有して転動可能であるように、鉛直方向に対して傾斜しており、
前記第一ローラー室及び前記第二ローラー室はそれぞれ最下方に開口を有しており、
前記第一ローラー室の前記開口と前記第二ローラー室の前記開口との間の距離は、前記第一ローラー及び前記第二ローラーが前記第一ローラー室の前記開口と前記第二ローラー室の前記開口との間で接触したときに、ともに落下しない距離に設定されている長尺物ホルダー。
【請求項２】
前記第一ローラー室及び前記第二ローラー室の各底面は鉛直方向に対して３０度乃至８０度の範囲内の角度で傾斜していることを特徴とする請求項１に記載の長尺物ホルダー。
【請求項３】
前記ローラー支持体には中央にローラー止めが設けられていることを特徴とする請求項１又は２に記載の長尺物ホルダー。
【請求項４】
前記第一ローラー及び前記第二ローラーの表面にはゴムシートが巻かれていることを特徴とする請求項１乃至３の何れか一項に記載の長尺物ホルダー。
【請求項５】
前記第一ローラー及び前記第二ローラーの外側の端部から内側の端部に向かう所定の距離の間はテーパ形状になっていることを特徴とする請求項１乃至４の何れか一項に記載の長尺物ホルダー。
【請求項６】
前記第一ローラー及び前記第二ローラーは鋼鉄製であることを特徴とする請求項１乃至５の何れか一項に記載の長尺物ホルダー。
【考案の詳細な説明】
【技術分野】
【０００１】
本考案は、箒の柄、傘の柄、ゴルフクラブのシャフトなどの長尺物を鉛直方向に保持する長尺物ホルダーに関する。
【背景技術】
【０００２】
長い柄をもった物品（例えば、箒やモップなどの掃除用品、ゴルフクラブやバットなどのスポーツ用品、傘などの日常用品）を取り外しが容易であるように壁面に鉛直方向に保持しておくことができれば、極めて便利である。
【０００３】
このため、種々の長尺物ホルダーが提案されている。その一例として、特開平５−３１６８１号公報に記載された長尺物ホルダーの斜視図を図７に示す。
【０００４】
図７に示す従来の長尺物ホルダー３００は、ローラー３１０と、ローラー支持体３２０と、から構成されている。
【０００５】
ローラー支持体３２０は、基準壁３２１と、基準壁３２１から垂直に延びる第一壁３２２と、第一壁３２２と向かい合って基準壁３２１から垂直に延びる第二壁３２３と、を備えている。
【０００６】
図７に示すように、第二壁３２３は鉛直方向と平行に延びているのに対して、第一壁３２２は鉛直方向に対して傾斜して延びている。すなわち、第一壁３２２はその上方ほど第二壁３２３から離れており、その下方ほど第二壁３２３に接近するように傾斜している。
【０００７】
基準壁３２１には、第一壁３２２が延びる方向と平行に延びる長円形状のスロット３２４が形成されている。
【０００８】
ローラー３１０は、その一端がスロット３２４に係合しており、一端がスロット３２４に係合したまま、第一壁３２２が形成する斜面上を転動可能であるように構成されている。
【０００９】
基準壁３２１は第二壁３２３を超えて延長しており、その延長部分に複数の貫通孔３２５が形成されている。長尺物ホルダー３００は、貫通孔３２５にネジを通して、壁面（図示せず）に固定される。
【００１０】
図７に示す従来の長尺物ホルダー３００は以下のようにして使用される。
【００１１】
非使用時には、ローラー３１０は最下方の位置に停止している。使用時には、箒の柄その他の長尺物３３０を正面からローラー３１０と第二壁３２３との間に押し入れる。これにより、ローラー３１０は強制的に第二壁３２３から引き離され、第一壁３２２が形成する斜面上を上方に転動する。長尺物３３０がローラー３１０と第二壁３２３との間に完全に収納された時点において、ローラー３１０は転動を停止し、その位置で停止する。
【００１２】
この状態においては、図７に示すように、長尺物３３０はローラー３１０と第二壁３２３との間に挟み込まれ、静止する。すなわち、長尺物３３０は鉛直方向に保持される。
【００１３】
長尺物３３０を取り外すときには、単に、長尺物３３０をローラー３１０と第二壁３２３との間から引き抜けばよい。
【考案の開示】
【考案が解決しようとする課題】
【００１４】
図７に示した長尺物ホルダー３００によれば、長尺物３３０を鉛直方向に容易に保持することができるとともに、容易に取り外すことが可能である。
【００１５】
しかながら、図７に示した従来の長尺物ホルダー３００には次のような欠点があった。
【００１６】
第一に、ローラー３１０の動きがスムーズではない点である。
【００１７】
ローラー３１０は、その一端がスロット３２４に係合した状態で、第一壁３２２が形成する斜面上を上下に転動する。この転動の最中にローラー３１０の端部とスロット３２４の内壁との間で引っ掛かりを生じることがあり、引っ掛かりが生じると、長尺物３３０の取り付け及び取り外しがスムーズにできなくなっていた。
【００１８】
第二に、重い長尺物３３０を保持できない点である。
【００１９】
長尺物３３０は、長尺物３３０とローラー３１０との間に作用する摩擦力及び長尺物３３０と第二壁３２３との間に作用する摩擦力によって、鉛直方向に保持される。
【００２０】
長尺物３３０とローラー３１０との間に作用する摩擦力と長尺物３３０と第二壁３２３との間に作用する摩擦力とを比較すると、後者の方が小さい。このため、長尺物ホルダー３００によって保持することができる長尺物３３０の最大重量は長尺物３３０と第二壁３２３との間に作用する摩擦力に依存して決まることになる。このため、図７に示した従来の長尺物ホルダー３００が保持することができる長尺物３３０の最大重量はそれほど大きくはなかった。
【００２１】
本考案はこのような従来の長尺物ホルダーにおける問題点に鑑みてなされたものであり、挟持対象物である長尺物を従来の長尺物ホルダーよりも容易に取り付け、かつ、取り外すことができ、さらに、従来の長尺物ホルダーが保持し得た長尺物よりも重い長尺物を保持することができる長尺物ホルダーを提供することを目的とする。
【課題を解決するための手段】
【００２２】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００２３】
この目的を達成するため、本考案は、第一ローラー（１１０）と、前記第一ローラー（１１０）と同じ大きさの第二ローラー（１２０）と、前記第一ローラー（１１０）を転動可能に収容する第一ローラー室（１３２）と、前記第二ローラー（１２０）を転動可能に収容する第二ローラー室（１３３）とを備えるローラー支持体（１３０）と、を備える長尺物ホルダー（１００、１６０）であって、前記第一ローラー室（１３２）及び前記第二ローラー室（１３３）は鉛直方向（Ｖ）を中心として左右対称に配置され、前記第一ローラー室（１３２）及び前記第二ローラー室（１３３）の各底面（１３２ａ、１３３ａ）は、該底面（１３２ａ、１３３ａ）上を前記第一ローラー（１１０）及び前記第二ローラー（１２０）が鉛直方向（Ｖ）と直交する回転軸を有して転動可能であるように、鉛直方向（Ｖ）に対して傾斜しており、前記第一ローラー室（１３２）及び前記第二ローラー室（１３３）はそれぞれ最下方に開口（１３２ｂ、１３３ｂ）を有しており、前記第一ローラー室（１３２）の前記開口（１３２ｂ）と前記第二ローラー室（１３３）の前記開口（１３３ｂ）との間の距離（Ｄ）は、前記第一ローラー（１１０）及び前記第二ローラー（１２０）が前記第一ローラー室（１３２）の前記開口（１３２ｂ）と前記第二ローラー室（１３３）の前記開口（１３３ｂ）との間で接触したときに、ともに落下しない距離に設定されている長尺物ホルダー（１００、１６０）を提供する。
【００２４】
前記第一ローラー室（１３２）及び前記第二ローラー室（１３３）の各底面１３２ａ、１３３ａ）は鉛直方向（Ｖ）に対して３０度乃至８０度の範囲内の角度で傾斜していることが好ましい。
【００２５】
前記ローラー支持体（１３０）には中央にローラー止め（１６１）が設けられていることが好ましい。
【００２６】
前記第一ローラー（１１０）及び前記第二ローラー（１２０）の表面にはゴムシート（１７０）が巻かれていることが好ましい。
【００２７】
前記第一ローラー（１１０）及び前記第二ローラー（１２０）の外側の端部から内側の端部に向かう所定の距離の間はテーパ形状（１８０）になっていることが好ましい。
【００２８】
前記第一ローラー（１１０）及び前記第二ローラー（１２０）は鋼鉄製であることが好ましい。
【考案の効果】
【００２９】
本考案に係る長尺物ホルダーにおいては、図７に示した従来の長尺物ホルダーとは異なり、第一ローラー及び第二ローラーはスロット３２４（図７）に係合させた状態で転動するものではない。このため、各ローラーとスロットとの間の引っ掛かりを生じることはなく、第一ローラー及び第二ローラーはスムーズに第一ローラー室及び第二ローラー室内を転動し得る。このため、本考案に係る長尺物ホルダーによれば、図７に示した従来の長尺物ホルダーよりも容易に挟持対象物を取り付け、かつ、取り外すことができる。
【００３０】
さらに、本考案に係る長尺物ホルダーにおいては、二つのローラーを用いて、挟持対象物を保持するものであるため、図７に示した従来の長尺物ホルダーが保持し得た挟持対象物よりも重い挟持対象物を保持することができる。
【考案を実施するための最良の形態】
【００３１】
（第一の実施形態）
図１は、本考案の第一の実施形態に係る長尺物ホルダー１００の正面図である。
【００３２】
図１に示すように、本実施形態に係る長尺物ホルダー１００は、第一ローラー１１０と、第一ローラー１１０と同じサイズの第二ローラー１２０と、ローラー支持体１３０と、から構成されている。
【００３３】
ローラー支持体１３０は中央に平板状の基準板１３１を備えており、さらに、基準板１３１に対して（すなわち、鉛直方向Ｖに対して）左右対称に形成された第一ローラー室１３２と第二ローラー室１３３とを備えている。
【００３４】
第一ローラー室１３２及び第二ローラー室１３３の各々は図１の紙面から看者に向かう方向に高さを有する箱型の形状をなしており、さらに、鉛直方向Ｖに対して傾斜している。具体的には、第一ローラー室１３２の底面１３２ａ及び第二ローラー室１３３の底面１３３ａが鉛直方向Ｖに対して傾斜している。
【００３５】
第一ローラー室１３２及び第二ローラー室１３３はそれぞれ最下方に開口１３２ｂ及び１３３ｂを有している。
【００３６】
第一ローラー１１０は第一ローラー室１３２の内部において回転軸が鉛直方向Ｖと直交する方向において転動可能に収容されている。第一ローラー室１３２の底面１３２ａは鉛直方向Ｖに対して傾斜しているため、第一ローラー１１０は最上位置と最下位置との間の距離Ｓ１を転動することができる。
【００３７】
同様に、第二ローラー１２０は第二ローラー室１３３の内部において回転軸が鉛直方向Ｖと直交する方向において転動可能に収容されている。第二ローラー室１３３の底面１３３ａは鉛直方向Ｖに対して傾斜しているため、第二ローラー１２０は最上位置と最下位置との間の距離Ｓ２を転動することができる。なお、Ｓ１とＳ２は等しい。
【００３８】
ここで、第一ローラー１１０及び第二ローラー１２０の最上位置とは、箱型形状の第一ローラー室１３２及び第二ローラー室１３３の内部において最も上方に第一ローラー１１０及び第二ローラー１２０が位置し得る位置であり、第一ローラー１１０及び第二ローラー１２０の最下位置とは、第一ローラー１１０及び第二ローラー１２０が第一ローラー室１３２及び第二ローラー室１３３の底面１３２ａ及び底面１３３ａをそれぞれ転動しながら降下し、基準板１３１の中心線（鉛直線）において相互に接したときの第一ローラー１１０及び第二ローラー１２０の位置を指す。
【００３９】
図１に示すように、第一ローラー１１０及び第二ローラー１２０は、各最下位置においては、開口１３２ｂ及び１３３ｂを境として、一部が第一ローラー室１３２及び第二ローラー室１３３の内部に隠れ、他の部分が露出している。
【００４０】
さらに、第一ローラー室１３２の開口１３２ｂと第二ローラー室１３３の開口１３３ｂとの間の水平距離Ｄは、第一ローラー１１０及び第二ローラー１２０が各最下位置において相互に接したときに、第一ローラー１１０及び第二ローラー１２０がともに落下しない距離に設定されている。
【００４１】
従って、第一ローラー１１０及び第二ローラー１２０の半径をＲとすると、
４Ｒ＞Ｄ
の関係が成り立つ。
【００４２】
なお、開口１３２ｂと開口１３３ｂとの間の水平距離Ｄは第一ローラー１１０及び第二ローラー１２０の直径２Ｒよりは大きい（Ｄ＞２Ｒ）。このため、第一ローラー１１０及び第二ローラー１２０を一つずつ開口１３２ｂ及び開口１３３ｂを介して第一ローラー室１３２及び第二ローラー室１３３内に入れることが可能である。
【００４３】
さらに、第一ローラー１１０及び第二ローラー１２０の各々は次の条件を満たすような重量を有している。
【００４４】
後述するように、第一ローラー１１０と第二ローラー１２０との間には、開口１３２ｂと開口１３３ｂとの間において、挟持対象物である長尺物が挟み込まれる。第一ローラー１１０及び第二ローラー１２０の各々の重量は、第一ローラー１１０及び第二ローラー１２０の間に長尺物を挟み込んだときに、その長尺物が落下しないような摩擦力を長尺物に与えることができるような重量に設定されている。
【００４５】
基準板１３１には複数の貫通孔１３４が設けられており、ローラー支持体１３０は、例えば、この貫通孔１３４にネジを通して、垂直壁面（図示せず）に固定される。
【００４６】
図２は、本実施形態に係る長尺物ホルダー１００を用いて長尺物１５０を保持する状態を示した正面図である。
【００４７】
以下、図１及び図２を参照して、本実施形態に係る長尺物ホルダー１００の使用方法を説明する。
【００４８】
本実施形態に係る長尺物ホルダー１００の非使用時においては、第一ローラー１１０及び第二ローラー１２０は、図１に示すように、ともに最下位置に位置している。長尺物ホルダー１００で長尺物１５０を保持する場合には、長尺物ホルダー１００の正面から長尺物ホルダー１００に向かって（看者から図２の紙面に向かう方向に）、開口１３２ｂと開口１３３ｂとの間の領域に長尺物１５０を押し込む。
【００４９】
長尺物１５０が押し込まれると、第一ローラー１１０及び第二ローラー１２０は長尺物１５０に押されて底面１３２ａ及び底面１３３ａをそれぞれ転動しながら上方に移動する。長尺物１５０が基準板１３１に接するまで、あるいは、基準板１３１の直前に達するまで長尺物１５０を押し込むと、第一ローラー１１０及び第二ローラー１２０の転動は停止し、第一ローラー１１０及び第二ローラー１２０はその位置で停止する。
【００５０】
この状態においては、図２に示すように、第一ローラー１１０及び第二ローラー１２０は長尺物１５０をその間に挟持している。長尺物１５０は、長尺物１５０と第一ローラー１１０及び第二ローラー１２０との間に作用する摩擦力により、落下することなく、鉛直方向に保持される。
【００５１】
長尺物１５０を取り出す場合には、図２に示す状態から、単に長尺物１５０を第一ローラー１１０及び第二ローラー１２０の間から引き抜けばよい。この後、第一ローラー１１０及び第二ローラー１２０は図１に示すような最下位置に戻る。
【００５２】
以上のように、本実施形態に係る長尺物ホルダー１００においては、図７に示した従来の長尺物ホルダー３００とは異なり、第一ローラー１１０及び第二ローラー１２０はスロット３２４（図７）に係合させた状態で転動するものではない。このため、各ローラーとスロットとの間の引っ掛かりを生じることはなく、第一ローラー１１０及び第二ローラー１２０はスムーズに第一ローラー室１３２及び第二ローラー室１３３内を転動し得る。このため、本実施形態に係る長尺物ホルダー１００によれば、図７に示した従来の長尺物ホルダー３００よりも容易に長尺物１５０を取り付け、かつ、取り外すことができる。
【００５３】
さらに、本実施形態に係る長尺物ホルダー１００においては、二つのローラー１１０、１２０を用いて、長尺物１５０を保持するものであるため、図７に示した従来の長尺物ホルダー３００が保持し得た長尺物よりも重い長尺物を保持することができる。
【００５４】
なお、本実施形態に係る長尺物ホルダー１００により保持することができる長尺物１５０の最大重量は第一ローラー１１０及び第二ローラー１２０の重量に依存する。長尺物１５０は、長尺物１５０と第一ローラー１１０及び第二ローラー１２０との間に作用する摩擦力によって、第一ローラー１１０及び第二ローラー１２０の間に保持されるが、その摩擦力は第一ローラー１１０及び第二ローラー１２０の重量に比例するからである。
【００５５】
このため、第一ローラー１１０及び第二ローラー１２０はその重量が大きいほど、重い長尺物１５０を保持することができる。この点に鑑みて、第一ローラー１１０及び第二ローラー１２０は、例えば、鋼鉄製であることが好ましい。
【００５６】
すなわち、第一ローラー１１０及び第二ローラー１２０の重量は、第一ローラー室１３２の開口１３２ｂと第二ローラー室１３３の開口１３３ｂとの間において第一ローラー１１０及び第二ローラー１２０の間に長尺物１５０を挟み込んだときに、長尺物１５０が落下しないような摩擦力を長尺物１５０に与えることができるか否かの観点から決定される。
【００５７】
（第二の実施形態）
第一ローラー室１３２の底面１３２ａと第二ローラー室１３３の底面１３３ａは鉛直方向に対して傾斜している。
【００５８】
本考案の考案者が好適な傾斜角を求める実験を行ったところ、好適な傾斜角の範囲は３０度以上かつ８０度以下であった。この傾斜角の範囲内において、特に好適な範囲は４０度以上かつ６０度以上であった。最も好適な傾斜角は４５度であった。
【００５９】
（第三の実施形態）
図３は、本考案の第三の実施形態に係る長尺物ホルダー１６０の正面図である。
【００６０】
第三の実施形態に係る長尺物ホルダー１６０は、第一の実施形態に係る長尺物ホルダー１００と比較して、ローラー止め１６１をさらに備えている。本実施形態に係る長尺物ホルダー１６０は、ローラー止め１６１を備えている点以外は、第一の実施形態に係る長尺物ホルダー１００と同一の構造を有している。
【００６１】
ローラー止め１６１は、基準板１３１の中央に設けられているピン状の凸状物からなり、鉛直方向に延びている。
【００６２】
第一ローラー１１０及び第二ローラー１２０はローラー止め１６１に接触すると、それ以上は転動しない。すなわち、第一ローラー１１０及び第二ローラー１２０がローラー止め１６１に接した位置が第一ローラー１１０及び第二ローラー１２０の最下位置になる。
【００６３】
第一の実施形態に係る長尺物ホルダー１００においては、第一ローラー１１０及び第二ローラー１２０が必ずしも基準板１３１の中心線上において接しないことがあるが、ローラー止め１６１を設けることにより、第一ローラー１１０及び第二ローラー１２０は常に基準板１３１の中心線上において接するようになる。
【００６４】
なお、ローラー止め１６１は、第一ローラー１１０及び第二ローラー１２０を第一ローラー室１３２及び第二ローラー室１３３にそれぞれ収納した後、基準板１３１上に溶接その他の手段により固着する。
【００６５】
（第四の実施形態）
図４は、本考案の第四の実施形態に係る長尺物ホルダーにおいて用いられる第一ローラー１１０又は第二ローラー１２０の斜視図である。
【００６６】
本実施形態において用いられる第一ローラー１１０及び第二ローラー１２０の周囲にはゴムシート１７０が巻き付けられている。
【００６７】
上述のように、本実施形態に係る長尺物ホルダーにより保持することができる長尺物１５０の最大重量は、長尺物１５０と第一ローラー１１０及び第二ローラー１２０との間に作用する摩擦力に依存し、その摩擦力を決定する要因の一つが第一ローラー１１０及び第二ローラー１２０の重量である。摩擦力を決定するもう一つの要因は、長尺物１５０と第一ローラー１１０及び第二ローラー１２０との間の摩擦係数である。摩擦係数が大きければ、他の要因（例えば、第一ローラー１１０及び第二ローラー１２０の重量）が同じであっても、摩擦力は増加する。
【００６８】
本実施形態に係る長尺物ホルダーに用いられる第一ローラー１１０及び第二ローラー１２０の表面にはゴムシート１７０か巻き付けられているため、長尺物１５０と第一ローラー１１０及び第二ローラー１２０との間の摩擦係数を高めることができ、その結果として、長尺物１５０と第一ローラー１１０及び第二ローラー１２０との間に作用する摩擦力を増大させることができる。すなわち、より重い長尺物１５０を保持することが可能である。
【００６９】
図５は、ゴムシート１７０の他の例を示す斜視図である。
【００７０】
図５に示すように、ゴムシート１７０の表面に多数の突起１７１を形成することができる。このように多数の突起１７１を設けることにより、長尺物１５０と第一ローラー１１０及び第二ローラー１２０との間の摩擦係数をより高めることができ、その結果として、より重い長尺物１５０を保持することが可能である。
【００７１】
（第五の実施形態）
図６は、本考案の第五の実施形態に係る長尺物ホルダーにおいて用いられる第一ローラー１１０又は第二ローラー１２０の平面図である。
【００７２】
本実施形態において用いられる第一ローラー１１０及び第二ローラー１２０の先端はテーパ形状１８０になっている。
【００７３】
図１を参照すると、本実施形態において用いられる第一ローラー１１０及び第二ローラー１２０は、テーパ形状１８０が看者の側を向くように、第一ローラー室１３２及び第二ローラー室１３３に収容される。
【００７４】
第一ローラー１１０及び第二ローラー１２０がテーパ形状１８０を有することにより、長尺物１５０を第一ローラー１１０と第二ローラー１２０との間に押し込むときに、長尺物１５０がテーパ形状１８０により自動的に第一ローラー１１０と第二ローラー１２０との間に案内される。このため、第一の実施形態に係る長尺物ホルダー１００よりも容易に長尺物１５０を第一ローラー１１０と第二ローラー１２０との間に押し込むことができる。
【図面の簡単な説明】
【００７５】
【図１】本考案の第一の実施形態に係る長尺物ホルダーの正面図である。
【図２】第一の実施形態に係る長尺物ホルダーを用いて長尺物を保持する状態を示した正面図である。
【図３】本考案の第三の実施形態に係る長尺物ホルダーの正面図である。
【図４】本考案の第四の実施形態に係る長尺物ホルダーにおいて用いられる第一ローラー又は第二ローラーの斜視図である。
【図５】ゴムシートの他の例を示す斜視図である。
【図６】本考案の第五の実施形態に係る長尺物ホルダーにおいて用いられる第一ローラー又は第二ローラーの平面図である。
【図７】従来の長尺物ホルダーの斜視図である。
【符号の説明】
【００７６】
１００  本考案の第一の実施形態に係る長尺物ホルダー
１１０  第一ローラー
１２０  第二ローラー
１３０  ローラー支持体
１３１  基準板
１３２  第一ローラー室
１３２ａ  第一ローラー室の底面
１３２ｂ  第一ローラー室の開口
１３３  第二ローラー室
１３３ａ  第二ローラー室の底面
１３３ｂ  第二ローラー室の開口
１３４  貫通孔
１５０  長尺物
１６０  本考案の第二の実施形態に係る長尺物ホルダー
１６１  ローラー止め
１７０  ゴムシート
１７１  突起
１８０  テーパ形状
【図１】
0003117294.tif 000003
【図２】
0003117294.tif 000004
【図３】
0003117294.tif 000005
【図４】
0003117294.tif 000006
【図５】
0003117294.tif 000007
【図６】
0003117294.tif 000008
【図７】
0003117294.tif 000009